(57)【特許請求の範囲】
【請求項１】
加圧充水された一次側配管と二次側配管とが接続され、前記二次側配管内の圧力が低下すると、前記一次側配管から前記二次側配管に消火薬剤水溶液が流入するチャッキ弁機構を有する流水検知装置を備え、
前記一次側配管には消火水を供給する水槽と、消火薬剤を供給する消火薬剤槽と、消火水と消火薬剤とを混合して消火薬剤水溶液を生成する混合器が接続され、
前記二次側配管には消火薬剤水溶液を噴霧する閉鎖型ヘッドが接続される消火システムにおいて、
前記一次側配管には、該一次側配管の圧力が一定値よりも低下したら起動し、前記水槽から消火水を供給する給水ポンプおよび補助ポンプを備え、
前記補助ポンプが起動するときの前記一次側配管の圧力は、前記給水ポンプが起動するときの前記一次側配管の圧力より高く設定され、
前記一次側配管と前記二次側配管との間に、前記二次側配管内の圧力が前記一次側配管内の圧力より一定値以上高いときに、前記二次側配管内の圧力を前記一次側配管に逃がすチャッキ弁機構を有する昇圧防止弁が接続され、
前記混合器の一次側に設けられ、先端に前記補助ポンプが接続された分岐管から分岐させた配管のみに排水弁を設け、前記一次側配管内の圧力が一定値以上になったときに一次側配管から排水する排水弁が設けられることを特徴とする消火システム。
【請求項２】
前記昇圧防止弁の一次側と二次側には、それぞれ保守用弁を有し、前記昇圧防止弁の一次側は前記保守用弁を介して前記二次側配管と接続し、前記昇圧防止弁の二次側は前記保守用弁を介して前記一次側配管と接続することを特徴とする請求項１記載の消火システム。
【請求項３】
前記排水弁の二次側に流水を検知するセンサを設け、前記排水弁の漏れを監視することを特徴とする請求項１又は２記載の消火システム。
【発明の詳細な説明】
【技術分野】
【０００１】
本発明は消火システムに関し、特に駐車場等に設けられる閉鎖型噴霧消火システムに関する。
【背景技術】
【０００２】
従来、消火薬剤を発泡させずに、水と混合させた消火薬剤水溶液の状態のまま火源に直接噴霧する、いわゆる閉鎖型噴霧消火システムがある。閉鎖型噴霧消火システムは、消火薬剤を消火水に混合した消火薬剤水溶液を閉鎖型ヘッドのデフレクタに衝突させることで、通常のスプリンクラヘッドの散水時と同様に、広範囲にわたる噴霧パターンを得ている。
【０００３】
一般的に、閉鎖型噴霧消火システムは、常時閉のチャッキ弁機構を有する流水検知装置が設けられており、流水検知装置の二次側には閉鎖型ヘッド等が設けられる二次側配管が接続され、一次側には消火水を貯める水槽、消火薬剤を貯める消火薬剤槽、消火水と消火薬剤を混合する混合器等が設けられる一次側配管が接続される。流水検知装置は、一次側配管内の圧力が二次側配管内の圧力より高くなると開弁し、一次側配管から二次側配管へ消火薬剤水溶液が流れるものである。なお、流水検知装置は閉鎖型噴霧消火システムに複数設けられることが一般的である。
【０００４】
ところで、閉鎖型噴霧消火システムは屋外の駐車場に設置されることが多く、二次側配管は外気に露出して設けられることが多い。そのため、気温が上昇すると二次側配管内に充水されている消火薬剤水溶液の体積が膨張するので、二次側配管内の圧力が高くなる。二次側配管の圧力が高くなりすぎると、二次側配管に接続される閉鎖型ヘッドが破損して開放してしまい、消火薬剤水溶液を噴霧してしまう虞がある。そこで、各流水検知装置には排水弁が設けられており、気温上昇等により二次側配管内の圧力が一定以上になった場合に、二次側配管内に充水されている消火薬剤水溶液を排水している。そして、気温が上昇して二次側配管内の膨張した消火薬剤水溶液を外部に排水すると、その後、気温が下がったときに二次側配管内の消火薬剤水溶液の体積が収縮し、二次側配管内の圧力が低下する。すると、二次側配管内と一次側配管内の圧力差を一定に保つため、流水検知装置内のチャッキ弁機構により、一次側から二次側に消火薬剤水溶液が流入する。（特許文献１、２参照）。
【先行技術文献】
【特許文献】
【０００５】
【特許文献１】特開２００２−２１９１８６号
【特許文献２】特開２００４−１３５８４９号
【発明の概要】
【発明が解決しようとする課題】
【０００６】
気温の上昇、下降を繰り返すと、二次側配管から消火薬剤水溶液が排水され、一次側配管から消火薬剤水溶液が二次側配管に流入することが繰り返し起こり、一次側配管内の圧力が低下していくことになる。一次側配管の圧力が低下しすぎると、一次側配管内の圧力を回復させるために、水槽から消火水を汲み上げる給水ポンプが起動してしまい、多くの電力を使用することになる。
【０００７】
本発明は、上記問題に鑑みてなされたものであり、気温が変化しても二次側配管内の圧力を一定に保つとともに、一次側配管内の圧力の低下を極力防いで、給水ポンプの起動回数の低減を図ることを目的とする。
【課題を解決するための手段】
【０００８】
この発明は、加圧充水された一次側配管と二次側配管とが接続され、二次側配管内の圧力が低下すると、一次側配管から二次側配管に消火薬剤水溶液が流入するチャッキ弁機構を有する流水検知装置を備え、一次側配管には消火水を供給する水槽と、消火薬剤を供給する消火薬剤槽と、消火水と消火薬剤とを混合して消火薬剤水溶液を生成する混合器が接続され、二次側配管には消火薬剤水溶液を噴霧する閉鎖型ヘッドが接続される消火システムにおいて、一次側配管には、該一次側配管の圧力が一定値よりも低下したら起動し、水槽から消火水を供給する給水ポンプおよび補助ポンプを備え、補助ポンプが起動するときの一次側配管の圧力は、給水ポンプが起動するときの一次側配管の圧力より高く設定され、一次側配管と二次側配管との間に、二次側配管内の圧力が一次側配管内の圧力より一定値以上高いときに、二次側配管内の圧力を一次側配管に逃がすチャッキ弁機構を有する昇圧防止弁が接続され、混合器の一次側に設けられ、先端に補助ポンプが接続された分岐管から分岐させた配管のみに排水弁を設け、一次側配管内の圧力が一定値以上になったときに一次側配管から排水する排水弁が設けられることを特徴とするものである。
【発明の効果】
【０００９】
本発明の消火システムによれば、二次側配管内の圧力を一次側配管に逃がすチャッキ弁機構を有する昇圧防止弁と、一次側配管内の圧力が一定値以上になったときに排水する排水弁とを設けたため、二次側配管内、一次側配管内の圧力を一定に保ちながら、給水ポンプの起動回数を低減させることができる。
【図面の簡単な説明】
【００１０】
【図１】本発明の実施の形態１に係るシステム図である。
【図２】本発明の実施の形態２に係る昇圧防止弁付近のシステム図である。
【図３】本発明の実施の形態３に係る流水検知装置の模式図である。
【発明を実施するための最良の形態】
【００１１】
実施の形態１．
本発明の実施の形態１に係る閉鎖型噴霧消火システム１００を図１に基づいて説明する。
【００１２】
１は流水検知装置で、二次側に二次側配管５０，一次側に一次側配管６０が接続されており、二次側配管５０及び一次側配管６０には消火薬剤水溶液又は消火水が加圧充水され、共にほぼ同じ圧力に保たれている。流水検知装置１は、チャッキ弁機構を有しており、二次側配管５０の圧力が低下すると、チャッキ弁機構が開弁し、一次側配管６０と二次側配管５０とを連通させる。より詳細には、二次側配管５０の圧力が一次側配管６０の圧力よりも低くなったときに、チャッキ弁機構が開弁し、一次側配管６０と二次側配管５０とが連通する。また、流水検知装置１には圧力スイッチが設けられており、チャッキ弁が開弁し、一次側配管６０から二次側配管５０への消火薬剤水溶液の流入速度が一定値以上に達した場合に圧力上昇を検出して、流水検知信号を後述する火災受信機２０に出力する。なお、流水検知装置１は、例えば、二次側配管５０内の圧力低下により、二次側配管５０内の圧力が一次側配管６０内の圧力より一定値以上低くなった場合に開弁するチャッキ弁機構を有するものでも良い。
【００１３】
４は昇圧防止弁で、チャッキ弁機構を有し、二次側配管５０と一次側配管６０との間に接続される。昇圧防止弁４の一次側が二次側配管５０と接続し、昇圧防止弁４の二次側が一次側配管６０と接続する。より詳細には、昇圧防止弁４の一次側は、流水検知装置１と閉鎖型ヘッド３の間の二次側配管５０に接続され、昇圧防止弁４の二次側は混合器５と流水検知装置１の間の一次側配管６０に接続される。なお、昇圧防止弁４の二次側は、一次側配管６０の混合器５の一次側に接続されても良い。その他に、昇圧防止弁４の一次側を流水検知装置１内の二次側から分岐させて設けたバイパス配管に接続し、昇圧防止弁４の二次側を流水検知装置１内の一次側から分岐させて設けたバイパス配管に接続しても良い。そして、昇圧防止弁４は、二次側配管５０の圧力が一次側配管６０の圧力よりも一定値（例えば、０．２５ＭＰａ）以上高くなったときに、二次側配管５０に充水されている消火薬剤水溶液を一次側配管６０内に戻している。つまり、二次側配管５０の圧力を一次側配管６０に逃がしている。
【００１４】
３は閉鎖型ヘッドで、二次側配管５０の先端部に接続される。閉鎖型ヘッドは２本のフレームの下にデフレクタが固定されている馬蹄型のスプリンクラヘッドで構成される。感熱部はグラスバルブで構成され、放水口を止水している弁体を支持している。消火剤水溶液が放水口から放射されると、発泡網を有していないのであまり発泡することなく（例えば、発泡倍率５倍未満）、デフレクタに衝突して防護区域に噴霧される。
【００１５】
５はベンチュリー管を有する混合器であり、水槽１１から供給される消火水の流入口と、消火薬剤槽７から供給される消火薬剤の流入口と、混合された消火薬剤水溶液の流出口を有する。消火水と消火薬剤が混合されて生成された消火薬剤水溶液は流水検知装置１側へ送出される。
【００１６】
水槽１１から消火水を供給する給水ポンプ９と混合器５の間には、分岐管６１、６３、６５が接続される。
【００１７】
分岐管６１は消火薬剤槽７に接続しており、給水ポンプ９が起動すると分岐管６１から消火薬剤槽７に消火水が流入し、その消火水の圧力で消火薬剤が混合器５に向かって送出される。消火薬剤は、例えば水成膜泡消火薬剤メガフォームＦ−６２３Ｔ（登録商標）を用いる。なお、水成膜泡消火薬剤ではなく、他の消火薬剤として泡原液ではたん白泡消火薬剤、合成界面活性剤泡消火薬剤など、消火水もしくは他の消火薬剤と混合させることで消火効果を高めることができる消火薬剤であれば何でもよい。
【００１８】
分岐管６３は、分岐管６１より水槽１１に近い位置で一次側配管６０に接続され、先端にはポンプ起動用装置１２が接続される。ポンプ起動用装置１２は圧力スイッチを有しており、一次側配管６０内の圧力を監視し、一次側配管６０の圧力が一定値（例えば、０．６ＭＰａ）よりも低下したら、給水ポンプ９の起動信号を、後述するポンプ制御盤２２に送信する。
【００１９】
分岐管６５は、混合器５の一次側に設けられ、一次側配管６０の圧力が一定値（例えば、１．４ＭＰａ）以上になったときに排水する排水弁１５をさらに分岐管６５から分岐させた配管に接続しており、排水弁１５の一次側にはストレーナを設けている。そして、排水弁１５は、１つの閉鎖型噴霧消火システム１００に１つ設けられ、ポンプ室等に設置される。また、分岐管６５の先端には補助ポンプ１３を接続している。補助ポンプ１３は、一次側配管６０の圧力が少し低下した場合に起動するものであり、補助ポンプ１３が起動するときの一次側配管６０の圧力は、給水ポンプ９が起動するときの一次側配管６０の圧力より高い。なお、補助ポンプ１３を起動するのに必要な電力は、給水ポンプ９を起動するのに必要な電力よりも小さいものである。
【００２０】
２０は火災受信機で、流水検知装置１の圧力スイッチと信号線で接続されている。そして、流水検知装置１のチャッキ弁機構が開弁し、一次側配管６０から二次側配管５０へ流水が開始されたときに、圧力スイッチが流水信号を火災受信機２０に送信する。流水信号を受信した火災受信機２０は、流水検知装置１に流水が起きた旨を盤面に表示する。
【００２１】
２２はポンプ制御盤で、ポンプ起動用装置１２の圧力スイッチと、給水ポンプ９と信号線で接続されている。つまり、ポンプ起動用装置１２の圧力スイッチは、ポンプ制御盤２２を介して給水ポンプ９と接続している。そして、一次側配管６０内の圧力が一定値以下になったとき、ポンプ起動用装置１２の圧力スイッチが給水ポンプ９の起動信号をポンプ制御盤２２に送信し、起動信号を受信したポンプ制御盤２２は給水ポンプ９を起動するように制御する。また、ポンプ制御盤２２は火災受信機２０とも信号線で接続されている。ポンプ制御盤２２は、給水ポンプ９を起動した旨の信号を火災受信機２０に送信しており、その信号を受信した火災受信機２０は、給水ポンプ９が起動した旨を盤面に表示する。
【００２２】
なお、詳細には図示しないが、混合器５の二次側の一次側配管６０には、例えば、複数の防護領域に対応して、複数の流水検知装置１が設け得られている。そして、各流水検知装置１の二次側には、閉鎖型ヘッド３等が接続される二次側配管５０がそれぞれ設けられている。
【００２３】
続いて、火災時の閉鎖型噴霧消火システム１００の動作を説明する。
【００２４】
先ず、火災が発生すると、燃焼物近傍から天井へと熱を伝える上昇気流が発生し、閉鎖型ヘッド３の温度が上昇し、火源近傍の閉鎖型ヘッド３が作動する。閉鎖型ヘッド３からは、二次側配管５０に充水されている消火薬剤水溶液が放射され、火源に向かって噴霧される。そして二次側配管５０内の圧力が低下する。
【００２５】
次に、二次側配管５０の圧力が一次側配管６０の圧力よりも低くなると、流水検知装置１のチャッキ弁機構が開弁し、一次側配管６０と二次側配管５０とが連通状態となり、一次側配管５０に充水されている消火薬剤水溶液が二次側配管５０へ流入する。そして一次側配管６０内の圧力が低下する。このとき、流水検知装置１の圧力スイッチが作動して火災受信機２０に流水信号を送信し、火災受信機２０は流水検知装置１に流水が起きた旨を盤面に表示する。
【００２６】
次に、一次側配管６０の圧力が低下すると、一次側配管に接続されているポンプ起動用装置１２に設けられる圧力スイッチにより、一次側配管６０の圧力低下が検知され、ポンプ起動用装置１２の圧力スイッチからポンプ制御盤２２に給水ポンプ９の起動信号が出力される。そして、給水ポンプ９が起動し、水槽１１から消火水を一次側配管６０に供給する。
【００２７】
最後に、水槽１１から供給された消火水は混合器５に流入すると共に、分岐管６１を通って消火薬剤槽７に流入する。消火薬剤槽７に消火水が流入すると、消火水の圧力で消火薬剤が消火薬剤槽７から押し出されて、消火薬剤が混合器５に流入する。そして、混合器５で消火水と消火薬剤が混合され、約３％の消火薬剤水溶液となる。生成された消火薬剤水溶液は流水検知装置１を通り、二次側配管５０内へ流れ、閉鎖型ヘッド３から火源に向かって噴霧される。所定の防護区域に向けて閉鎖型ヘッド３から噴霧された消火薬剤水溶液はほとんど発泡することがないので、高い貫通力で燃焼物表面に被着して速やかに燃焼物表面に被膜を作り、燃焼物を窒息に至らしめる。
【００２８】
続いて、火災監視時、特に気温の変化により二次側配管５０内の圧力が変化するときの配管内の圧力調整に関する動作を説明する。
【００２９】
閉鎖型噴霧消火システム１００は駐車場等、屋外に設置されることが多く、二次側配管５０、特に閉鎖型ヘッド３周辺は外気に露出している。つまり、二次側配管５０の周囲の気温は常に変化しており、気温が上昇すると二次側配管５０に充水されている消火薬剤水溶液が膨張し、二次側配管５０の圧力が高まる。一方、気温が低下すると二次側配管５０に充水されている消火薬剤水溶液が収縮し、二次側配管５０の圧力が低くなる。
【００３０】
気温が低下し、二次側配管５０の圧力が低下した場合、流水検知装置１内のチャッキ弁が少しだけ開弁し、一次側配管６０から二次側配管５０に消火薬剤水溶液を流入させて、二次側配管５０の圧力を高める。二次側配管５０の圧力が高まると、流水検知装置１のチャッキ弁が閉じて、一次側配管６０から消火薬剤水溶液が流れ込まないようになる。気温が低下した場合、このように二次側配管５０の圧力を一定に保っている（例えば、０．７〜１．０ＭＰａ）。そして、一次側配管６０の消火薬剤水溶液が二次側配管５０へ流入したので、一次側配管６０の圧力が低下する。すると、補助ポンプ１３が起動して、一次側配管６０内に消火水を供給して、一次側配管６０の圧力を一定に保っている（例えば、０．７〜１．０ＭＰａ）。
【００３１】
なお、ここでは二次側配管５０の圧力が低下した場合、流水検知装置１内のチャッキ弁が少しだけ開弁して、二次側配管５０の圧力を一次側配管６０と同等になるまで高めると説明したが、チャッキ弁の中に、一次側配管６０から二次側配管５０に消火薬剤水溶液を流入させる補助チャッキ弁を設けた流水検知装置でも同様の効果がある。具体的には、気温の変化による二次側配管５０内の小さな圧力低下の場合には、補助チャッキ弁によって一次側配管６０から二次側配管５０に圧力を供給し、閉鎖型ヘッド３が開放したことによる大きな圧力変化の場合には、流水検知装置１内のチャッキ弁が全開する。
【００３２】
一方、気温が上昇し、二次側配管５０の圧力が上昇した場合、一次側配管６０の圧力よりも二次側配管５０の圧力が一定値以上高くなると、二次側配管５０と一次側配管６０を接続しているチャッキ弁機構を有する昇圧防止弁４が開弁する。そして、昇圧防止弁４が開弁すると、二次側配管５０内の消火薬剤水溶液が一次側配管６０内に流入し、二次側配管５０の圧力を一次側配管６０に逃がす。二次側配管５０と一次側配管６０の圧力差が一定値未満になると、昇圧防止弁４は閉じて、二次側配管５０から一次側配管６０へ消火薬剤水溶液が流れ込まないようになる。
【００３３】
また、気温が急激に上昇した場合、二次側配管５０内の消火薬剤水溶液が急激に膨張して、二次側配管５０から一次側配管６０へ消火薬剤水溶液が急激に多く流入し、一次側配管６０の圧力が急激に（一定値以上に）高まることがある。この場合、閉鎖型噴霧消火システム１００に１つ設けられている排水弁１５から一次側配管６０内の消火薬剤水溶液を排水し、一次側配管６０の圧力を一定に保っている。
【００３４】
本実施の形態１に係る閉鎖型噴霧消火システム１００では、上記のようにして、気温の上昇、下降を繰り返しても、一次側配管６０及び二次側配管５０の圧力を一定に保つことができる。それと共に、二次側配管５０内の圧力が高まったときには、消火薬剤水溶液は流水検知装置１から排水されるのではなく、一次側配管６０に一度戻されるので、閉鎖型噴霧消火システム１００全体から排水される消火薬剤水溶液の量が少なくて済む。つまり、排水される消火薬剤の量が減少し、設備を長期間維持することができる。また、火災監視時において一次側配管６０の圧力が極端に低くなることは少なくなり、これにより給水ポンプ９の起動回数が少なくなるため、電力の消費を抑えることができる。
【００３５】
また、一次側配管６０の圧力上昇に対し、閉鎖型噴霧消火システム１００に１箇所の排水弁１５で排水を行っているため、排水した量が分かり、管理もしやすくなる。さらに、従来の閉鎖型噴霧消火システム１００に複数備えられる各流水検知装置に排水弁を設ける場合に比べて、排水弁１５は１箇所なので、ゴミの噛み込みなどの可能性を少なくすることができ、また、定期点検も１箇所で済むため、閉鎖型噴霧消火システム１００の維持管理が容易になる。また、排水弁１５の二次側に流水を検知するセンサを設置することで、随時、排水弁１５の漏れを監視することができ、万が一のゴミの噛み込み等による排水弁１５の漏れの不具合を防止することができる。
【００３６】
なお、開放型ヘッド１９を、熱で弁体が開放する感熱開放継手１７を介して二次側配管５０に接続することもできる。この場合、天井付近に感熱開放継手１７を設け、そこから下方に延びる立ち下がり配管の先に開放型ヘッド１９を設ける。例えば、床面５ｍ以上の高さに感熱開放継手１９を設け、それより低い床面から４ｍ以内に開放型ヘッド１９を設けることで、高天井の建物にも本実施の形態１に係る閉鎖型噴霧消火システム１００を導入することができる。
【００３７】
実施の形態２．
図２は本発明の実施の形態２に係る流水検知装置１近傍の図面である。なお、実施の形態２では、上述の実施の形態１との相違点について詳細に説明するものとし、実施の形態１に対応している部材については同じ符号をつけて説明を省略する。さらに、閉鎖型噴霧消火システム１００の全体構成、火災時の動作説明、火災監視時の動作説明は上述の実施の形態１と同様なので省略する。
【００３８】
６は常時開の保守用弁であり、昇圧防止弁４の一次側（流入口側）と二次側（流出口側）に１つずつ設けられる。より詳細には、昇圧防止弁４の一次側と二次側配管５０の間に保守用弁６が接続されると共に、昇圧防止弁４の二次側と一次側配管６０の間にもう１つの保守用弁６が接続されている。保守用弁６は、昇圧防止弁４に何かしらの不具合が起き、昇圧防止弁４を交換しなければならなくなった場合に、弁を閉じる。
【００３９】
本実施の形態２の構成によれば、昇圧防止弁４を交換する際に、２つの保守用弁６を閉じることで、二次側配管５０及び一次側配管６０の消火水及び消火薬剤水溶液が漏れることなく、昇圧防止弁４を交換することができる。そして、昇圧防止弁４を交換している間も、実施の形態２に係る閉鎖型噴霧消火システム１００は火災を監視し続けることができる。
【００４０】
実施の形態３．
図３は本発明の実施の形態３に係る流水検知装置２の模式図である。なお、実施の形態３では、上述の実施の形態１との相違点について詳細に説明するものとし、実施の形態１に対応している部材については同じ符号をつけて説明を省略する。さらに、閉鎖型噴霧消火システム１００の全体構成、火災時の動作説明、火災監視時の動作説明は上述の実施の形態１と同様なので省略する。
【００４１】
本実施の形態３に係る流水検知装置２は、一次側配管６０の圧力が二次側配管５０の圧力より高いときに、一次側配管６０から二次側配管５０へ消火薬剤水溶液を流入するように開弁するチャッキ弁機構と共に、二次側配管５０の圧力が一次側配管６０の圧力より一定値以上高くなったときに、二次側配管５０から一次側配管６０へ消火薬剤水溶液を流入するように開弁するチャッキ弁機構を内部に有している。つまり、流水検知装置２は内部に、一次側配管６０と二次側配管５０とを連通させる流入口が２つあり、それぞれの流入口にチャッキ弁機構が設けられている。
【００４２】
第１の流入口３０は、一次側配管５０の圧力が二次側配管５０の圧力より高くなったときに、一次側配管６０と二次側配管５０とを連通させるようにチャッキ弁機構が開弁することで形成される。
【００４３】
第２の流入口３２は、二次側配管５０の圧力が一次側配管６０の圧力より一定値以上高くなったときに、二次側配管５０と一次側配管６０とを連通させるようにチャッキ弁機構が開弁することで形成される。
【００４４】
本実施の形態３の構成によれば、閉鎖型噴霧消火システム１００に流水検知装置２を設けることで、第１の流入口３０及び第２の流入口３２に設けられるチャッキ弁機構により、二次側配管５０と一次側配管６０の圧力を一定に保つことができる。
【符号の説明】
【００４５】
１、２  流水検知装置、３  閉鎖型ヘッド、４  昇圧防止弁、５  混合器、６  保守用弁、７  消火薬剤槽、９  給水ポンプ、１１  水槽、１２  ポンプ起動用装置、１３  補助ポンプ、１５  排水弁、２０  火災受信機、２２  ポンプ制御盤、３０  第１の流入口、３２  第２の流入口、５０  二次側配管、６０  一次側配管、６１、６３、６５  分岐管、１００  閉鎖型噴霧消火システム。
【図１】
0005975738.tif 000002
【図２】
0005975738.tif 000003
【図３】
0005975738.tif 000004